(57)【要約】【課題】  薬液容器に対して加圧力を正確に伝達することにより、薬液の流量精度を向上させることができる薬液加圧注入装置を提供すること。【解決手段】  可撓性を有する薬液容器２の胴回りを囲繞しつつ当該薬液容器２を着脱可能に保持する保持部３と、この保持部３の内側へ膨張可能な加圧バッグ９とを備え、この加圧バッグ９の膨張によって薬液容器２を加圧してその薬液を吐出させる薬液加圧注入装置１であって、薬液容器２が加圧された場合に、当該薬液容器２が弾性変形して上記保持部３の外側へ逃げ出すことを防止する底部６ｃ及び上部側壁１１ａを備えている。【選択図】      図２
2006051281.tif 000002
【特許請求の範囲】
【請求項１】
可撓性を有する薬液容器の胴回りを囲繞しつつ当該薬液容器を着脱可能に保持する保持部と、この保持部の内側へ膨張可能な加圧部材とを備え、この加圧部材の膨張によって薬液容器を加圧してその薬液を吐出させる薬液加圧注入装置であって、
薬液容器が加圧された場合に、当該薬液容器が弾性変形して上記保持部の外側へ逃げ出すことを防止する逃げ防止手段を備え、
この逃げ防止手段は、保持部の底部及び蓋部を構成し、これら両部と保持部との間で、薬液容器を格納する格納室を区画するように構成されていることを特徴とする薬液加圧注入装置。
【請求項２】
請求項１に記載の薬液加圧注入装置において、上記保持部には、薬液容器に形成された薬液吐出用のポート部を挿通する挿通孔が形成されていることを特徴とする薬液加圧注入装置。
【請求項３】
請求項１又は請求項２に記載の薬液加圧注入装置において、上記加圧部材が薬液容器を加圧する加圧力を検出可能な検出部と、上記加圧部材に対して流体を供給可能な供給部と、この供給部による流体の供給圧力を制御する制御部とをさらに備え、この制御部は、予め設定された薬液の吐出圧力に対応する加圧力データと上記検出部により検出された実際の加圧力とを比較して、実際の加圧力が上記加圧力データ以上であると判定された場合に、流体の供給圧力を低減させる一方、実際の加圧力が上記加圧力データ未満であると判定された場合に、流体の供給圧力を増加させるように構成されていることを特徴とする薬液加圧注入装置。
【請求項４】
請求項３に記載の薬液加圧注入装置において、上記保持部と加圧部材とが別部材で構成され、これら保持部と加圧部材との間に上記検出部が設けられていることを特徴とする薬液加圧注入装置。
【発明の詳細な説明】
【技術分野】
【０００１】
本発明は、薬液容器内の薬液を患者へ注入する薬液加圧注入装置に関するものである。
【背景技術】
【０００２】
一般に、可撓性を有する薬液容器を加圧して、その内部に収容された薬液を吐出させる薬液加圧注入装置が知られている。
【０００３】
この種の薬液加圧注入装置には、チャンバーと、このチャンバーの両端部に接合された被覆地とを備え、環状に連結されたこれらチャンバーと被覆地との間に薬液容器を挿入し、チャンバーを膨張させることにより、チャンバーと被覆地との間で薬液容器を挟圧して薬液を吐出するようにしたもの（例えば、特許文献１）が知られている。
【０００４】
また、帯状に形成されたカフを、薬液容器に対して寿司巻き状に巻き付け、空気を注入してカフを膨張させることにより、巻き付けられたカフ内で薬液容器を圧迫して薬液を吐出するようにしたもの（例えば、特許文献２）も知られている。
【特許文献１】特開平９−３８２０３号公報
【特許文献２】特開平８−３３７１０号公報
【発明の開示】
【発明が解決しようとする課題】
【０００５】
しかしながら、上記各特許文献１及び２の注入装置は、何れも薬液容器の胴回りを囲繞するようにしているので、その囲繞範囲の両側（上下両側）に薬液容器が開放されることになる。
【０００６】
そのため、各特許文献１及び２の注入装置では、カフ又はチャンバーが膨張した場合に、薬液容器が弾性変形して上記囲繞範囲から逃げてしまい、当該薬液容器を確実に挟圧することができないので、薬液容器に対して加圧力を正確に伝えることができず、薬液の流量が不安定になるおそれがあった。
【０００７】
本発明は、上記課題に鑑みてなされたものであり、薬液容器に対して加圧力を正確に伝達することにより、薬液の流量精度を向上させることができる薬液加圧注入装置を提供することを目的としている。
【課題を解決するための手段】
【０００８】
上記課題を解決するために本発明は、可撓性を有する薬液容器の胴回りを囲繞しつつ当該薬液容器を着脱可能に保持する保持部と、この保持部の内側へ膨張可能な加圧部材とを備え、この加圧部材の膨張によって薬液容器を加圧してその薬液を吐出させる薬液加圧注入装置であって、薬液容器が加圧された場合に、当該薬液容器が弾性変形して上記保持部の外側へ逃げ出すことを防止する逃げ防止手段を備え、この逃げ防止手段は、保持部の底部及び蓋部を構成し、これら両部と保持部との間で、薬液容器を格納する格納室を区画するように構成されていることを特徴とするものである。
【０００９】
上記薬液加圧注入装置において、上記保持部には、薬液容器に形成された薬液吐出用のポート部を挿通する挿通孔が形成されていることが好ましい。
【００１０】
上記薬液加圧注入装置において、上記加圧部材が薬液容器を加圧する加圧力を検出可能な検出部と、上記加圧部材に対して流体を供給可能な供給部と、この供給部による流体の供給圧力を制御する制御部とをさらに備え、この制御部は、予め設定された薬液の吐出圧力に対応する加圧力データと上記検出部により検出された実際の加圧力とを比較して、実際の加圧力が上記加圧力データ以上であると判定された場合に、流体の供給圧力を低減させる一方、実際の加圧力が上記加圧力データ未満であると判定された場合に、流体の供給圧力を増加させるように構成されていることが好ましい。
【００１１】
上記薬液加圧注入装置において、上記保持部と加圧部材とが別部材で構成され、これら保持部と加圧部材との間に上記検出部が設けられていることが好ましい。
【発明の効果】
【００１２】
本発明によれば、格納室に薬液容器を格納することにより、加圧時における薬液容器の逃げ場を無くすことができるので、薬液容器を確実に挟圧して、当該薬液容器に対して加圧部材の加圧力を正確に伝達することができる。
【００１３】
したがって、本発明の薬液加圧注入装置では、薬液の流量精度を向上させることができる。
【００１４】
このとき、保持部に挿通孔を形成すれば、薬液容器のポート部のみを露出させた状態で、それ以外の部分を格納室に格納することができるので、薬液加圧注入装置に対して薬液容器をセットした後に、当該薬液容器のポートに対して薬液供給ラインを接続すること等が可能となる。
【００１５】
加圧部材による実際の加圧力に応じて供給部を制御するようにした構成によれば、実際の加圧力の増減に応じて、流体の供給圧力をフィードバック制御することができるので、流量精度をより精緻なものとすることができる。
【００１６】
上記保持部と加圧部材との間に検出部を形成した構成によれば、薬液容器に対する加圧部材による加圧力を、その反作用の力として検出することができるので、薬液容器と加圧部材との間に検出部を形成する場合と異なり、薬液容器に接触することなく加圧力を測定することができる結果、検出部との接触に応じて薬液容器が破損してしまうこと等を可及的に抑制することができる。
【発明を実施するための最良の形態】
【００１７】
以下、本発明の好ましい実施形態について、図面を参照して説明する。
【００１８】
図１は、本発明の実施形態に係る薬液加圧注入装置の正面図であり、図２は、図１の薬液加圧注入装置のII−II線断面図である。
【００１９】
各図を参照して、薬液加圧注入装置１は、保持部３及び本体部５の上部側壁１１ａによって区画された格納室Ｓ内に薬液容器２を格納することにより、加圧バッグ９の膨張によって加圧された薬液容器２の可撓性シート２ａが上下に逃げることを防止するようになっている。以下、その具体的構成について説明する。
【００２０】
薬液加圧注入装置１は、相対向する可撓性シート２ａ間に薬液を収容する薬液容器２を加圧して、その一端に形成されたポート部２ｂから薬液を吐出させるようになっている。吐出された薬液は、上記ポート部２ｂに穿刺可能な注射針Ｎを有する薬液供給ラインＬを介して患者へ注入されることになる。
【００２１】
具体的に、薬液加圧注入装置１は、上記薬液容器２を着脱可能に保持する保持部３と、この保持部３と蝶番４で連結された本体部５とを備えている。そして、上記保持部３は、その下方位置で当該保持部３の幅方向（左右方向）に延びる上記蝶番４の軸４ａ回りに、図２に示す加圧位置と図５の（ｂ）に示す着脱位置との間で本体部５に対して揺動可能とされている。
【００２２】
保持部３は、上方へ開口する有底容器状の矩形容器６と、この矩形容器６内に収納された押圧板７とを備え、この押圧板７と上記矩形容器６の前壁６ａとの間に薬液容器２を収容するようになっている。なお、上記前壁６ａの高さ寸法は、当該矩形容器６の後壁６ｂよりも低く設定されている。
【００２３】
上記矩形容器６は、その開口部から挿入された薬液容器２を、ポート部２ｂを外側へ露出させつつ両可撓性シート２ａの胴回り及び下方を囲繞した状態で収容するようになっている。具体的に、矩形容器６には、前方及び下方へ貫通して上記ポート部２ａを外側に露出させる挿通孔８が形成されている。
【００２４】
上記押圧板７は、矩形容器６内の深さ寸法と略同一の深さ寸法に設定されているとともに当該矩形容器６の左右両側壁及び底部６ｃに沿って当該矩形容器６内を前後に摺動し得るように寸法設定されている。
【００２５】
さらに、保持部３は、上記後壁６ｂと押圧板７との間に配置された加圧バッグ（加圧部材）９と、この加圧バッグ９と後壁６ｂとの間に配置された圧力センサ２３とを備え、上記加圧バッグ９を膨張させることにより押圧板７を前方へ押し込んで、この押圧板７と上記前壁６ａとの間で薬液容器２を加圧するようになっている。
【００２６】
図３は、図２の薬液加圧注入装置１の一部を拡大して示す側面断面図であり、（ａ）は保持部３が加圧位置にある状態、（ｂ）は保持部３が着脱位置にある状態をそれぞれ示している。
【００２７】
図３を参照して、加圧バッグ９は、その開口部９ａから空気を注入することにより膨張可能に形成された袋状の部材であり、上記開口部９ａ回りの接合部Ｈにおいて、上記矩形容器６の後壁６ｂと接合されている。一方、上記後壁６ｂには、連結孔１０が開口部９ａと同心に貫通している。
【００２８】
圧力センサ２３は、歪みゲージ等からなる検出手段であり、上記加圧バッグ９の膨張により後壁６ｂに対して付加された荷重を検出するようになっている。すなわち、圧力センサ２３は、薬液容器２に対する加圧バッグ９の加圧力を、その反作用の力として検出するようになっている。
【００２９】
再び図１、図２を参照して、本体部５は、前方及び下方へ開口する切欠き部１１を有し、この切欠き部１１内に上記保持部３を格納し得るようになっている。すなわち、保持部３を上記加圧位置（図２の状態）へ変位させた場合には、上記矩形容器６の開口部は、上記切欠き部１１の上部側壁（蓋部）１１ａにより閉塞され、当該矩形容器６内には、薬液容器２の格納室Ｓが区画されることになる。そして、上記上部側壁１１ａには、その前端部において規制片１２が下方へ向けて突設されている。この規制片１２は、上記保持部３の前壁６ａの上端位置に対応した高さ寸法に設定されている。
【００３０】
また、本体部５には、上記加圧バッグ９へ空気を供給する空気供給部１３と、上記加圧位置へ揺動した保持部３を本体部５に対してロックするロック機構１４とが内蔵されている。
【００３１】
空気供給部１３は、コンプレッサ等からなるポンプ１５と、このポンプ１５に一端が接続された供給路１６と、この供給路１６の他端側に設けられた連結部材１７とを備えている。
【００３２】
上記連結部材１７は、図３に示すように、上記加圧バッグ９の開口部９ａに対応して本体部５の背板５ａにおいて前方へ開口する上記供給路１６と同心となるように、当該背板５ａの前面に固着されている。連結部材１７は、弾性を有する材質により形成された略円筒状の部材であり、上記連結孔１０に挿入されることにより、当該連結孔１０との間で気密状態を形成しつつ加圧バッグ９内と供給路１６とを連通させるようになっている。
【００３３】
図４は、図１のIV−IV線断面図であり、（ａ）は保持部３が加圧位置にある状態、（ｂ）は保持部３が着脱位置にある状態をそれぞれ示している。
【００３４】
図４を参照して、ロック機構１４は、解除ボタン１８の押込操作に応じて、当該解除ボタン１８とその一端が連結されたリンクレバー１９を軸Ｊ１回りに回動させ、図４の（ｂ）に示すように、当該リンクレバー１９の他端に連結された昇降子２０を上昇させるようになっている。一方、上記ロック機構１４は、軸Ｊ１に設けられた図略のねじりばねの付勢力により、解除ボタン１８から手を離すと、図４の（ａ）の状態へ復帰するようになっている。
【００３５】
そして、上記押込操作に応じて、上記昇降子２０の先端部は、上部側壁１１ａを上下に貫通する孔２１を通って上記切り欠き部１１内に突出した位置（図４の（ａ）の位置）から孔２１内に没している位置（図４の（ｂ）の位置）へ変位することにより、保持部３と昇降子２０とが互いに干渉しない状態となり、当該保持部３のロック状態が解除される。なお、本実施形態では、上記蝶番４の軸４ａ（図２参照）に設けられた図略のねじりばねの付勢力によって、上記押込操作に伴い保持部３が自動的に着脱位置へ変位するようになっている。
【００３６】
一方、図４の（ｂ）に示すように、着脱位置にある保持部３を図４の（ａ）に示す加圧位置へ変位させる過程では、当該保持部３の後壁６ｂと昇降子２０の先端部に形成された傾斜面２０ａとが摺動することにより、当該昇降子２０は、一端上昇し、上記後壁６ｂが孔２１の下方位置を通過した時点で再び下降することになる。これにより、昇降子２０の先端部は、図４の（ａ）に示すように、上記後壁６ｂと押圧板７との間に配置され、保持部３０の揺動がロックされることになる。
【００３７】
なお、上記保持部３の開閉動作が実行される際には、図３に示すように、加圧バッグ９と供給路１６との連結及び離脱動作も同時に実行されることになる。すなわち、上記保持部３が上記加圧位置にある場合には、図３の（ａ）に示すように、連結部材１７が連結孔１０に挿入された状態となる一方、保持部３が着脱位置にある場合には、図３の（ｂ）に示すように、連結部材１７が連結孔１０から抜け出た状態となる。
【００３８】
ところで、上記薬液加圧注入装置１には、図２に示すように、上記圧力センサ２３及びポンプ１５に対して電気的に接続された制御部２２が設けられている。
【００３９】
この制御部２２は、各種演算処理を実行するＣＰＵ、初期設定等を記憶するＲＯＭ、検出情報等を上書き可能に記憶するＲＡＭ等の周知の構成を備えたものである。また、制御部２２には、薬液の吐出圧力（通常、成人３００ｍｍＨｇ、小児１５０ｍｍＨｇ）等を設定可能な入力部２４、及びポンプ１５の駆動制御を開始させるスタートキー２５に接続されている。そして、制御部２２は、入力された吐出圧力に基づいてポンプ２３を動作させるとともに、上記圧力センサ２３により検出された実際の加圧力に応じてポンプ１５による空気の供給圧力をフィードバック制御するようになっている。
【００４０】
具体的に、上記制御部２２は、目標となる吐出圧力毎に、これに対応する加圧力データを予め記憶しており、このデータのうち今回設定された薬液の吐出圧力に対応する加圧力データと上記圧力センサ２３により検出された実際の加圧力とを比較するようになっている。そして、実際の加圧力が加圧力データ以上であると判定された場合に、上記ポンプ１５による空気の供給を停止する（供給圧力を０にする）一方、実際の加圧力が加圧力データ未満であると判定された場合に、上記ポンプ１５による空気の供給を開始する（供給圧力を増加する）ようになっている。
【００４１】
以下、上記薬液加圧注入装置１の使用方法及び動作について説明する。
【００４２】
まず、医療従事者は、図２に示すように、薬液容器２を保持部３内に収容するとともに、当該保持部３を加圧位置へ揺動する。
【００４３】
次いで、上記入力部２４により薬液の吐出圧力を設定するととともに、スタートキー２５を押下する。これにより、図５の（ａ）に示すように、上記ポンプ２３により加圧バッグ９内に空気が注入され、当該加圧バッグ９が膨張することに応じて押圧板７が前進して、当該押圧板７と矩形容器６の前壁６ａとの間で、薬液容器２が加圧される。
【００４４】
この加圧の際には、薬液容器２内の薬液圧力の増加に応じて、当該圧力増加を緩和すべく薬液容器２の両可撓性シート２ａが上下方向に逃げようとするが、薬液容器２は、上記矩形容器６の底部６ｃ及び本体部５の上部側壁１１ａによって上下方向にも囲繞されているため、両可撓性シート２ａが上下方向に逃げることなく、上記加圧バッグ９による加圧力を薬液容器２に対して正確に伝えることができる。
【００４５】
具体的には、図６に示すように、上下方向を開放した状態、すなわち、薬液容器２の胴回りのみを囲繞した状態で薬液容器２を加圧した場合においては、薬液の吐出圧力Ｄ１〜Ｄ３が、薬液容器２内の薬液残量の減少に伴い急激に低下している一方、上記薬液加圧注入装置１のように上下方向も囲繞し状態で薬液容器２を加圧した場合においては、その吐出圧力Ｄ４が、薬液残量の減少にかかわらず殆ど低下しない。
【００４６】
つまり、図６には、成人用の吐出圧力（３００ｍｍＨｇ）の設定時における薬液の吐出圧力の測定値が示されているが、薬液残量が２５ｍｌとなった時点で、吐出圧力Ｄ１は約５０ｍｍＨｇ、Ｄ２は約５５ｍｍＨｇ、Ｄ３は約１７５ｍｍＨｇであるのに対し、上記薬液加圧注入装置１による吐出圧力Ｄ４は、約２６０ｍｍＨｇを維持している。
【００４７】
ここで、圧力Ｄ１、Ｄ２と比較して圧力Ｄ３が高い圧力を維持しているのは、当該圧力Ｄ３に対応する装置の加圧バッグが、圧力Ｄ１、Ｄ２に対応する装置の加圧バッグよりも可撓性の大きな材質で構成されているためである。そのため、圧力Ｄ３に対応する装置では、薬液残量が減少することに応じて縮小する薬液容器の外表面に対して加圧バッグを比較的密着させることができ、圧力をある程度のレベルで維持している。これに対し、上記薬液加圧注入装置１の加圧バッグ９は、圧力Ｄ１、Ｄ２に対応する装置の加圧バッグと略同等の可撓性を有する材質で構成している。
【００４８】
すなわち、上記薬液加圧注入装置１の構成（薬液容器２を上下にも囲繞して加圧する構成）によれば、同等の可撓性を持つ加圧バッグを有する装置と比較して約４．７〜５倍〔Ｄ４÷（Ｄ１又はＤ２）〕の吐出圧力に維持することができるだけでなく、比較的可撓性の大きな加圧バッグを有する装置と比較した場合であっても、約１．５倍（Ｄ４÷Ｄ３）の吐出圧力を維持することができる。
【００４９】
なお、薬液の吐出圧力をより精緻に維持するといった観点から、上記薬液加圧注入装置１の加圧バッグ９を、上記圧力Ｄ３に対応する装置の加圧バッグと同等の可撓性を有する材質により形成することも可能である。しかし、可撓性を大きくすることは、膨張回数に伴う加圧バッグの塑性変形の度合を大きくしてしまい、当該加圧バッグの使用回数、つまりは、薬液加圧注入装置１の使用回数が制限されてしまうことになるため、吐出圧力の維持と多数回の使用を両立させるためには、当該加圧バッグ９は、圧力Ｄ１、Ｄ２に対応する装置の加圧バッグに相当するもの（すなわち、上記圧力Ｄ４に対応するもの）にすることが好ましい。
【００５０】
そして、薬液容器２内の薬液の吐出が終了すると、上記解除ボタン１８を押し込んで保持部３を着脱位置へ変位させる。この変位の過程では、図３の（ｂ）に示すように、連結部材１７と供給路１６との離脱動作が実行される。これとともに、上記変位の過程では、図５の（ｂ）に示すように、保持部３が軸４ａ回りに揺動する一方、この揺動に連れて変位しようとする押圧板７の上端部が規制片１２に当接してその揺動が規制される。
【００５１】
その結果、押圧板７は、保持部３に対してその後壁６ｂ側へ相対変位して、当該後壁６ｂとの間で加圧バッグ９を挟圧するため、当該加圧バッグ９内の空気は、連結孔１０を介して強制的に排出される。
【００５２】
以上説明したように上記薬液加圧注入装置１によれば、矩形容器６の底部６ｃ及び本体部５の上部側壁１１ａ（逃げ防止手段）により、加圧する際に、薬液容器２を保持部３内に収めておくことができるので、薬液容器２を確実に挟圧して、当該薬液容器２に対して加圧バッグ９の加圧力を正確に伝達することができる。
【００５３】
したがって、上記薬液加圧注入装置１では、薬液の流量精度を向上させることができる。
【００５４】
上記格納室Ｓを区画するように構成された上記薬液加圧注入装置１によれば、当該格納室Ｓ内に薬液容器２を格納することにより、加圧時における薬液容器の逃げ場を無くすことができる。
【００５５】
そして、上記薬液加圧注入装置１には、矩形容器６に挿通孔８が形成され、薬液容器２のポート部２ｂのみを露出させた状態で、両可撓性シート２ａを格納室Ｓに格納することができるので、薬液加圧注入装置１に対して薬液容器２をセットした後に、当該ポート２ｂに対して薬液供給ラインＬを接続すること等が可能となる。
【００５６】
上記加圧バッグ９の加圧力に応じてポンプ１５を制御する上記薬液加圧注入装置１によれば、加圧バッグ９が薬液容器２を加圧する加圧力の増減に応じて、空気の供給量をフィードバック制御することができるので、流量精度をより精緻なものとすることができる。
【００５７】
上記保持部３と加圧バッグ９との間に圧力センサ２３を設けた薬液加圧注入装置１によれば、薬液容器２に対する加圧バッグ９による加圧力を、その反作用の力として検出することができるので、薬液容器２と加圧バッグ９との間に圧力センサ２３を設ける場合と異なり、薬液容器２に接触することなく加圧力を測定することができる結果、圧力センサ２３との接触に応じて薬液容器２が破損してしまうこと等を可及的に抑制することができる。
【００５８】
なお、上記実施形態の薬液加圧注入装置１では、押圧板７と規制片１２とが当接することにより加圧バッグ９内の空気を排出するようにしているが、これに限定されることはなく、例えば、図５の（ｃ）に示すように、矩形容器６の後壁６ｂと押圧板７との間に引張りばね２６を設け、この引張りばね２６の付勢力により加圧バッグ９内の空気を排出するようにしてもよい。
【００５９】
また、上記薬液加圧注入装置１では、ポンプ１５により加圧バッグ９内に空気を注入して当該加圧バッグ９を膨張させるようにしているが、ポンプ１５に代えて、図７に示すように、上記供給路１６に対してボールポンプ２７を連結し、このボールポンプ２７を用いて手動で加圧バッグ９内に空気を注入するようにしてもよい。
【００６０】
この構成においても、上記底部６ｃ及び上部側壁１１ａによって、薬液容器２を保持部３内に収めておくことができるので、上記実施形態と同様に、薬液容器２に対して加圧バッグ９の加圧力を正確に伝達することができる。
【００６１】
なお、上記薬液加圧注入装置１には、以下の構成を採用することができる。
【００６２】
保持部３が加圧位置へ変位した場合にＯＮとなる一方、保持部３が着脱位置へ変位した場合にＯＦＦとなるスイッチを本体部５に設け、このスイッチがＯＮとなり、かつ上記入力部２４による吐出圧力が設定されている場合にのみ、上記制御部２２によってポンプ２３を駆動させることができる。つまり、上記スタートキー２５が押下されている状態であっても、上記の条件を満たさない限りポンプ２３を駆動させないようにすることができる。
【００６３】
この構成によれば、保持部３を着脱位置として、加圧バック９と供給路１６とが離脱した場合に、自動的にポンプ２３を停止させることができる。
【図面の簡単な説明】
【００６４】
【図１】本発明の実施形態に係る薬液加圧注入装置の正面図である。
【図２】図１の薬液加圧注入装置のII−II線断面図である。
【図３】図２の薬液加圧注入装置の一部を拡大して示す側面断面図であり、（ａ）は保持部が加圧位置にある状態、（ｂ）は保持部が着脱位置にある状態をそれぞれ示している。
【図４】図４は、図１のIV−IV線断面図であり、（ａ）は保持部が加圧位置にある状態、（ｂ）は保持部が着脱位置にある状態をそれぞれ示している。
【図５】薬液加圧注入装置の動作を示す側面断面図であり、（ａ）は薬液容器が加圧されている状態、（ｂ）は保持部が着脱位置にある状態、（ｃ）は別の実施形態に係る薬液加圧注入装置の保持部が着脱位置にある状態をそれぞれ示している。
【図６】図１の薬液加圧注入装置による薬液の吐出圧力と薬液容器を胴回りに囲繞した状態で薬液容器を加圧した場合における薬液の吐出圧力とを示すグラフである。
【図７】他の実施形態の薬液加圧注入装置を示す図２相当図である。
【符号の説明】
【００６５】
１    薬液加圧注入装置
２    薬液容器
２ｂ    ポート部
３    保持部
６ｃ    底部（底面）
９    加圧バッグ（加圧部材）
１１ａ    上部側壁（天面）
１３    空気供給部（供給部）
２２    制御部
Ｓ    格納室
【図１】
2006051281.tif 000003
【図２】
2006051281.tif 000004
【図３】
2006051281.tif 000005
【図４】
2006051281.tif 000006
【図５】
2006051281.tif 000007
【図６】
2006051281.tif 000008
【図７】
2006051281.tif 000009